(57)【特許請求の範囲】
【請求項１】
第１のウェブ（１８１）及び第２のウェブ（１８２）において複数の画像（１９０）を印刷するための印刷システム（１００）であって、当該印刷システム（１００）は、
プリントヘッド（１１０）と、
前記第１のウェブ（１８１）及び前記第２のウェブ（１８２）の両方を、前記プリントヘッド（１１０）に対して同時に、前記プリントヘッド（１１０）に対する送り方向（Ｙ）で供給するように構成された送り装置（１２０）と、
前記第１のウェブ（１８１）及び前記第２のウェブ（１８２）において前記複数の画像（１９０）の印刷配置（２５０）を設定するように、且つ、前記印刷配置（２５０）に従って印刷を行うための前記プリントヘッド（１１０）及び前記送り装置（１２０）を設定するように構成されたユーザインターフェース（１３０）と、
前記印刷配置（２５０）の印刷を停止するための印刷一時停止モジュール（１４０）と、
を含み、前記印刷一時停止モジュール（１４０）は、
−前記ユーザインターフェース（１３０）の表示画面に表示される印刷一時停止配置（３６１、４６１）を提供するように構成されており、前記印刷一時停止配置は、前記印刷一時停止モジュール（１４０）が選択されたときに前記プリントヘッド（１１０）と前記第１のウェブ（１８１）内で印刷が行われている第１の画像（Ｃ）の両方に対して、印刷配置（２５０）の前記送り方向（Ｙ）上流側の印刷配置（２５０）に表示される提案された印刷一時停止を含む、且つ、
−前記印刷一時停止が選択されている場合、前記第１の画像（Ｃ）の印刷が完了すると、印刷を停止させるために前記印刷一時停止配置（３６１、４６１）に従って前記プリントヘッド（１１０）及び前記送り装置（１２０）を設定するように構成されている、
印刷システム（１００）。
【請求項２】
前記印刷一時停止（４６２）はまた、前記印刷一時停止モジュール（１４０）が選択されたときに前記第２のウェブ（１８２）内で印刷が行われている前記印刷配置（２５０）の第２の画像（Ｄ）に対して前記送り方向（Ｙ）上流側に、及び前記第２のウェブ（１８２）において、前記第２の画像（Ｄ）と、前記第２の画像（Ｄ）に隣接する印刷配置（２５０）内に配置された第３の画像（Ｆ）との間に配置されている、請求項１に記載の印刷システム（１００）。
【請求項３】
前記第１のウェブ（１８１）において前記送り方向（Ｙ）上流側で且つ前記第１の画像（Ｃ）に隣接して前記印刷配置（２５０）に配置された第４の画像（Ｅ）は、前記印刷一時停止配置（４６１）に対して上流側に再配置される、請求項２に記載の印刷システム（１００）。
【請求項４】
当該印刷システム（１００）は、前記印刷一時停止（３６２、４６２）に対して印刷が不完全である、前記複数の画像（１９０）の画像を含むさらなる印刷配置（２５０）を設定するように構成されたメモリモジュールをさらに含む、請求項１〜３のいずれか一項に記載の印刷システム（１００）。
【請求項５】
当該印刷システムは、所定の基準に従って前記印刷一時停止モジュール（１４０）によって提供される複数の印刷一時停止配置から前記印刷一時停止配置（３６１、４６１）を選択するための選択モジュールをさらに含む、請求項１〜４のいずれか一項に記載の印刷システム（１００）。
【請求項６】
表示画面は、前記印刷一時停止配置のタッチ選択を可能にするためのタッチスクリーン内に配置される、請求項５に記載の印刷システム（１００）。
【請求項７】
プリントヘッド（１１０）を含む印刷システム（１００）を用いて複数の画像（１９０）を印刷する方法であって、当該方法は以下のステップ：
印刷配置（２５０）における第１のウェブ（１８１）及び第２のウェブ（１８２）における前記複数の画像（１９０）の配置を設定するステップと、
前記印刷配置（２５０）に従って印刷を行うために、前記プリントヘッド（１１０）に対して送り方向（Ｙ）に、前記第１のウェブ（１８１）及び前記第２のウェブ（１８３）を前記プリントヘッド（１１０）に同時に送るステップと、
を含み、
ここで前記印刷システム（１００）は、前記印刷配置（２５０）の印刷を停止させるための印刷一時停止モジュール（１４０）をさらに含み、前記印刷一時停止モジュール（１４０）は、使用時に、ユーザインターフェース（１３０）の表示画面に表示される複数の印刷一時停止配置を提供するように構成され、提案された印刷一時停止（３６２，４６２）を含む前記複数の印刷一時停止配置の各々は、前記プリントヘッド（１１０）と、前記第１のウェブ（１８１）内で印刷が行われている第１の画像（Ｃ）との両方に対して、前記送り方向（Ｙ）上流側に表示され、且つここで、当該方法は、前記第１の画像（Ｃ）の印刷が完了すると、印刷を停止するため前記複数の印刷一時停止配置のうち１つの印刷一時停止配置（３６１、４６１）を選択するステップをさらに含む、方法。
【請求項８】
前記複数の印刷一時停止配置のうち少なくとも１つの印刷一時停止配置（４６１）における前記印刷一時停止（４６２）はまた、前記第２のウェブ（１８２）内で印刷が行われている前記印刷配置（２５０）の第２の画像（Ｄ）に対して前記送り方向（Ｙ）上流側に、及び前記第２のウェブ（１８２）において、前記第２の画像（Ｄ）と、前記第２の画像（Ｄ）に隣接する前記印刷配置（２５０）内に配置された第３の画像（Ｆ）との間に配置され、且つ、
当該方法は、前記第２の画像（Ｄ）の印刷が完了すると、且つ前記第３の画像（Ｆ）の印刷が開始する前に、前記印刷配置（２５０）の印刷を停止するために前記少なくとも１つの印刷一時停止配置（４６１）を選択するステップを含む、請求項７に記載の方法。
【請求項９】
前記第１の画像（Ｃ）に対して前記送り方向（Ｙ）上流側の前記第１のウェブ（１８１）内に配置された前記印刷配置（２５０）の第４の画像（Ｅ）は、前記少なくとも１つの印刷一時停止配置（４６１）の前記印刷一時停止（４６２）に対して上流側に再配置され、且つ、
当該方法において、前記第２の画像（Ｄ）が印刷されているときは、前記第４の画像（Ｅ）は印刷されない、請求項８に記載の方法。
【請求項１０】
請求項７〜９のいずれかに記載の方法を実行するようにコンピュータに指示するように構成されたコンピュータ実行可能プログラムコードを含む、非一時的記録媒体。
【発明の詳細な説明】
【技術分野】
【０００１】
発明の分野
本発明は、前記ウェブがプリンタヘッドに供給されるときに、第１のウェブ及び第２のウェブにおいて複数の画像を同時に印刷する印刷システムの分野にある。本発明はさらに、前記第１のウェブ及び前記第２のウェブの両方において複数の画像を同時に印刷する方法の分野に関する。
【背景技術】
【０００２】
発明の背景
第１のウェブにおいて及び第２のウェブにおいて複数の画像を印刷するための印刷システムは、当技術分野で知られている。当該印刷システムは、プリントヘッドと、前記第１のウェブ及び前記第２のウェブを前記プリントヘッドに送り方向に同時に送るための送り手段とを含む。当該印刷システムはまた、オペレータが、前記複数の図形を印刷装置(printing  arrangement)内に配置することを可能にするユーザインタフェースを含む。印刷装置では、前記複数の図形(plurality)は、印刷を設定するために、第１のウェブ及び第２のウェブにおいて送り方向に沿って互いに隣接して配置される。一般に、印刷装置は、ユーザインタフェースの表示画面において見ることができる。次に、前記ユーザインターフェースは、前記ウェブが前記プリントヘッドに向かうときに、前記印刷装置に応じて前記第１のウェブ及び前記第２のウェブ内で印刷を実行するために、前記プリントヘッド及び前記送り手段を入力する。
【発明の概要】
【発明が解決しようとする課題】
【０００３】
ウェブを節約するために、前記複数の画像は、通常、前記送り方向に沿って互いに接近して両方のウェブ内に配置され、且つ、一般に、前記第１のウェブ内の前記複数の前記画像(the  images  of  the  plurality)は、前記第２のウェブ内の前記複数の前記画像に対して対称的に配置されない。したがって、上述の印刷システムの問題は、それらが印刷を停止する費用効果の高い方法を提供しないことである。オペレータが、例えば、このような目的のために印刷システム内に配置された停止印刷ボタンを使用することにより、印刷装置の印刷を停止することを決定した場合、通常、その時点で第１のウェブ内及び第２のウェブ内にそれぞれ印刷されている２つの画像が破壊され、不必要なウェブ及びインクの浪費を引き起こす。
【０００４】
本発明の目的は、上記の問題を緩和することである。
【課題を解決するための手段】
【０００５】
発明の詳細な説明
このために、本発明の第１の態様は、第１のウェブ及び第２のウェブにおいて複数の画像を印刷するための印刷システムに関わる。当該印刷システムは、
ａ）プリントヘッドと、
ｂ）前記第１のウェブ及び前記第２のウェブの両方を前記プリントヘッドに対して同時に、前記プリントヘッドに対する送り方向に送るための送り手段と、
ｃ）前記第１のウェブ及び前記第２のウェブにおいて前記複数の画像の印刷装置(printing  arrangement)を設定し、且つ、前記印刷装置に従って印刷を行うための前記プリントヘッド及び前記送り手段を入力するように構成されたユーザインターフェースと、
を含み、ここで当該前記印刷システムは、前記印刷装置の印刷を停止するための印刷一時停止モジュール(print-pause  module)をさらに含み、前記印刷一時停止モジュールは、
−前記ユーザインターフェースに印刷一時停止装置を提供するように構成され、ここで、前記印刷一時停止モジュールが選択されたときに前記プリントヘッドと前記第１のウェブ内で印刷が行われている第１の画像との両方に対して、印刷一時停止は、印刷装置の前記送り方向上流側に配置されており、且つ、
−前記第１の画像の印刷が完了すると、印刷を停止させるために前記印刷一時停止装置に従って前記プリントヘッド及び前記送り手段を入力するために前記ユーザインターフェースと協働するように構成されている。このようにして、当該印刷システムは、前記第１のウェブ内及び前記第２のウェブ内に印刷される前記２つの画像の少なくとも１つが完全に印刷されるので、印刷を停止するための容易で費用効果の高い方法を可能にし、印刷を中止する必要がある場合は、ウェブとインクの無駄を減らす。
【０００６】
本発明による印刷システムは、印刷を停止するための印刷一時停止モジュール(print-pause  module)を含む。前記印刷一時停止モジュールは、印刷一時停止装置(arrangement)を提供するように構成され、一般的には、前記ユーザーインターフェースの表示画面に表示される。前記印刷一時停止モジュールは、複数の印刷一時停止装置を提供するように構成されている可能性がある。前記印刷一時停止装置は、前記プリントヘッドと、前記第１のウェブ内で印刷が実行されている第１の画像の両方に対して、前記送り方向の上流側で前記印刷装置に表示された提案された一時停止である。したがって、前記印刷一時停止装置において、又は前記提案された印刷一時停止装置のすべてにおいて、印刷モジュール一時停止が選択された瞬間において前記第１のウェブ内に印刷される前記第１の画像が既に印刷されると、一時停止が提案される。
【０００７】
本発明の印刷一時停止モジュールはまた、前記印刷一時停止装置に従って前記プリントヘッド及び前記送り手段を入力するための前記ユーザインターフェースと協働するように構成されている。複数の印刷一時停止装置が存在する場合に置いて、それらのうち少なくとも１つである。このようにして、前記協働は、提案された印刷一時停止装置に従って前記第１の画像が印刷された後に印刷を停止することを可能にする。
【０００８】
当該印刷システムは、ロール・ツー・ロール・プリンタのような当該技術分野で知られているプリンタであってもよく、前記印刷一時停止モジュールをさらに備えていてもよいことに留意することが重要である。前記印刷一時停止モジュールは、プリンタに取り付けられてもよいし、プリンタと信号通信してもよい。前記印刷一時停止モジュールは、前記複数の印刷一時停止装置を表示するため、及び前記ユーザインターフェースと協働して印刷を停止するためのハードウェアデバイス、ソフトウェアプログラム、電子回路、又はそれらの組み合わせを含むことができる。
【０００９】
一実施形態では、前記印刷一時停止はまた、前記印刷一時停止モジュールが選択されたときに前記第２のウェブ内で印刷が行われている前記印刷装置の第２の画像に対して前記送り方向上流側に、及び前記第２のウェブにおいて、前記第２の画像と、前記第２の画像に隣接する印刷装置内に配置された第３の画像との間に配置されている。このようにして、当該印刷システムは、第１の画像と第２の画像の両方（印刷一時停止モジュールが選択されたときに、それらの両方ともが印刷される）が完全に印刷された後に印刷を停止することを可能にする。したがって、第２の画像を再度印刷する必要がないので、ウェブ及びインクの無駄が少なくなる。
【００１０】
一実施形態では、前記第１のウェブにおいて前記送り方向上流側で且つ前記第１の画像に隣接して前記印刷装置に配置された第４の画像は、前記第２の画像の印刷が完了すると、前記第４の画像の印刷が不完全である場合に、前記印刷一時停止装置の前記印刷一時停止に対して上流側にも再配置される。このようにして、前記印刷一時停止モジュールが選択されると、当該印刷システムによって前記第４の画像が印刷されないので、インクの無駄が更に低減される。
【００１１】
一実施形態では、当該印刷システムは、前記印刷一時停止に対して印刷が不完全である、前記複数の画像の前記画像を含むさらなる印刷装置を設定する、前記印刷一時停止モジュール及び前記ユーザインターフェースと協働するように構成されたメモリモジュールをさらに含む。このようにして、当該印刷システムは、前記印刷システムが前記印刷一時停止装置に従って印刷するのを停止した後に印刷されていない前記複数の画像のうち前記画像の印刷の迅速な再開(resume)を可能にする。
【００１２】
一実施形態では、当該印刷システムは、所定の基準に従って前記印刷一時停止モジュールによって提供される複数の印刷一時停止装置から前記印刷一時停止装置を選択するための前記印刷一時停止モジュールと協働するように構成された選択モジュールをさらに含む。このようにして、当該印刷システムは、前記印刷一時停止モジュール内に構成された前記複数の印刷一時停止装置のうち前記１つの印刷一時停止装置の自動選択を可能にする。前記選択は、前記印刷一時停止モジュールにおいても設定された所定の基準に従って行われる。一般に、前記所定の基準は、最小限の時間の無駄である。しかし、他の基準は、紙の最小限の廃棄、同じクライアントを有するプリント画像、急ぎの仕事、出荷期限、同じ仕上げステップを有する画像などであってもよい。前記選択モジュールは、前記印刷一時停止モジュールと協働するためのハードウェアデバイス、ソフトウェアプログラム、電子回路、又はそれらの組み合わせを含むことができる。
【００１３】
一実施形態では、前記表示画面は、前記印刷一時停止装置のタッチ選択を可能にするためのタッチスクリーン内に配置される。このようにして、１つの印刷一時停止装置を容易に選択することができる。
【００１４】
一実施形態では、前記印刷一時停止は、前記印刷一時停止装置の選択のために印刷が不完全である、前記印刷装置の前記画像に対して移動可能である。このようにして、当該印刷システムは、より簡単な方法で前記複数の印刷一時停止装置を提供する。さらに、前記表示画面が小さくてもよい。
【００１５】
本発明の第２の態様は、プリントヘッドを含む印刷システムを用いて複数の画像を印刷する方法に関わる。当該方法は以下のステップ：
ａ）印刷装置における第１のウェブ及び第２のウェブにおける前記複数の画像の装置を設定するステップと、
ｂ）前記印刷装置に従って印刷を行うために、前記プリントヘッドに対して送り方向に、前記第１のウェブ及び前記第２のウェブを前記プリントヘッドに同時に送るステップと、
を含み、
ここで前記印刷システムは、前記印刷装置の印刷を停止させるための印刷一時停止モジュールをさらに含み、前記印刷一時停止モジュールは、使用時に複数の印刷一時停止装置を提供するように構成され、印刷一時停止を含むそれらの各々は、前記プリントヘッドと、前記第１のウェブ内で印刷が行われている第１の画像との両方に対して、前記送り方向上流側に配置され、且つ、当該方法は、前記第１の画像の印刷が完了すると、印刷を停止するため前記複数の印刷一時停止装置のうち１つの印刷一時停止装置を選択するステップをさらに含む。このようにして、前記印刷システムのオペレータは、必要に応じて容易かつ費用効果の高い方法で前記印刷装置の印刷を停止することができる。
【００１６】
当該方法では、印刷一時停止モジュールを含む印刷システムが使用される。したがって、オペレータが何らかの理由で印刷を停止する必要がある場合、オペレータは、印刷一時停止モジュールを、一般にはボタンを介して選択することができる。前記印刷一時停止モジュールは、例えば、前記ユーザインタフェース内に配置された表示画面を介して、複数の印刷一時停止装置をオペレータに提供する。続いて、オペレータは、印刷を中止するためにウェブとインクを節約しながら、オペレータのニーズに合った前記複数のうちの１つの印刷一時停止装置を選択することができる。
【００１７】
前記複数の印刷一時停止装置は、前記印刷一時停止モジュールにおいても構成された所定の基準に従って提供されてもよい。一般に、前記所定の基準は、最小限の時間の無駄である。しかし、他の基準は、紙の最小限の廃棄、同じクライアントを有するプリント画像、急ぎの仕事、出荷期限、同じ仕上げステップを有する画像などであってもよい。前記選択モジュールは、前記印刷一時停止モジュールと協働するためのハードウェアデバイス、ソフトウェアプログラム、電子回路、又はそれらの組み合わせを含むことができる。
【００１８】
一実施形態では、前記複数の印刷一時停止装置のうち少なくとも１つの印刷一時停止装置における前記印刷一時停止はまた、前記第２のウェブ内で印刷が行われている前記印刷装置の第２の画像に対して前記送り方向上流側に、及び前記第２のウェブにおいて、前記第２の画像と、前記第２の画像に隣接する前記印刷装置内に配置された第３の画像との間に配置され、且つ、
当該方法は、前記第２の画像の印刷も完了すると、及び前記第３の画像の印刷が開始する前に、前記印刷装置の印刷を停止するために前記少なくとも１つの印刷一時停止装置を選択するステップを含む。このようにして、前記印刷システムのオペレータは、第１のウェブにおける第１の画像と第２のウェブにおける第２の画像の両方が、前記少なくとも１つの印刷一時停止装置の選択によって完全に印刷されると、印刷を停止することができる。
【００１９】
一実施形態では、前記第１の画像に対して前記送り方向上流側の前記第１のウェブ内に配置された前記印刷装置の第４の画像は、前記第２の画像の印刷が完了した後に前記第４の画像の印刷が不完全である場合、前記少なくとも１つの印刷一時停止装置の前記印刷一時停止に対して上流側に再配置され、且つ、
当該方法において、前記第２の画像が印刷されているときは、前記第４の画像は印刷されない。このようにして、前記少なくとも１つの印刷一時停止装置は、第１のウェブ内の第１の画像と第２のウェブ内の第２の画像とが完全に印刷されると、及び前記第１のウェブにおいて第１の画像に隣接する第４の画像の印刷を行うことなく、前記陰圧装置の印刷を停止することを可能にする。これにより、インクが節約される。
【００２０】
最後に、本発明の第３の態様は、上述の方法を実行するようにコンピュータに指示するように構成されたコンピュータ実行可能プログラムコードを含む、非一時的記録媒体に関する。
【００２１】
図面の簡単な説明
本発明を説明するために、図面は、本発明の１つ以上の実施形態の態様を示す。しかし、本発明は、図面に示されている正確な構成及び手段に限定されないことを理解すべきである。
【図面の簡単な説明】
【００２２】
【図１Ａ】図１Ａは、本発明による印刷システムの図である。
【図１Ｂ】図１Ｂは、図１Ａに示される印刷システムによって実行される印刷の概略図である。
【図２】図２は、図１Ａに示す印刷システムを使用して印刷される複数の画像の印刷装置(arrangement)である。
【図３】図３は、図１Ａに示される印刷システムの印刷一時停止モジュールによって表示される第１の印刷一時停止装置である。
【図４】図４は、図１Ａに示す印刷システムの印刷一時停止モジュールによって表示される第２の印刷一時停止装置である。
【発明を実施するための形態】
【００２３】
図面の詳細な説明
異なる図面において同じ参照番号を有する項目は、同じ構造的特徴及び同じ機能を有することに留意すべきである。そのような項目の機能及び／又は構造が説明されている場合、その詳細な説明においてそれらの繰り返しの説明の必要はない。
【００２４】
上記の実施形態は本発明を限定するものではなく例示するものであること、当業者は多くの代替実施形態を設計できることに留意されたい。
【００２５】
図１Ａは、本発明の実施例による印刷システム１００の概略図を示す。当該印刷システム１００は、プリントヘッド１１０と、送り手段１２０と、表示画面１３１を有するユーザインタフェース１３０とを含むロールツーロールプリンタ１０１を含む。当該印刷システム１００は、前記ロールツーロールプリンタ１０１の前記ユーザインタフェース１３０内に配置された印刷一時停止モジュール１４０をさらに含む。より具体的な例では、前記ユーザーインターフェース１３０及び前記印刷一時停止モジュール１４０は、取り外されたが、前記ロールツーロールプリンターと信号通信する別個のモジュール内に配置されてもよいことに留意することが重要である。
【００２６】
図１Ｂは、当該印刷システム１００を使用することによる印刷プロセスの概略図を示している。前記送り手段１２０は、第１のウェブ１８１及び第２のウェブ１８２を、本実施例では、図示しない第１の紙ロール及び第２の紙ロールから搬送するように構成されている。したがって、前記第１のウェブ１８１及び前記第２のウェブ１８２は、図１Ｂに示される矢印によって示される送り方向Ｙにおいて前記プリントヘッド１１０に供給される。次に、ガントリ１１１に沿った前記プリントヘッド１１０の移動によって、複数の画像１９０を、前記第１のウェブ１８１と前記第２のウェブ１８２の両方において同時に印刷することができる。
【００２７】
当該印刷システム１００は、前記複数の画像１９０の配置(arrangement)を可能にする。当該印刷システム１００のオペレータは、印刷配置において前記第１のウェブ１８１及び前記第２のウェブ１８２内の前記複数の画像１９０の順序及び分布を決定することができる。本実施例では、前記印刷装置は、前記ユーザインタフェース１３０を介して前記オペレータにより設定される。次に、前記ユーザインタフェース１３０は、前記複数の画像１９０の印刷を実行するため、前記印刷装置に従って前記プリントヘッド１１０及び前記送り手段１２０を入力する。したがって、図１Ｂは、画像Ａ及びＢ並びに既に印刷された前記画像Ｃ及びＤの一部を示す。
【００２８】
実施例の一モードとして、図２は、前記多数１９０の内の画像Ａ、Ｂ、Ｃ、Ｄ、Ｅ、Ｆを印刷するための印刷装置２５０の例を示す。前記印刷装置２５０は、前記第１のウェブ１８１及び前記第２のウェブ１８２における前記複数の画像の順序及び分布を示す前記ユーザインタフェース１３０の前記表示画面１３１内に表示される。
【００２９】
本発明の例では、前記ユーザインタフェース１３０の前記表示画面１３１は、前記プリントヘッド１１０を表すバー２１１と、矢印で示される前記送り方向Ｙとをさらに表示することにより、現在の印刷状態が表示される。例えば、図２は、印刷の瞬間における印刷状態のスナップショットを表している。このようにして、図２は、前記バー２１１に対して前記送り方向Ｙ上流側に、印刷がまだ行われていない前記画像Ｅ、Ｆ及び画像Ｃ及びＤの部分を示している。同様に、前記バー２１１に対する前記送り方向Ｙの下流側には、画像Ａ及びＢ、並びに既に印刷された画像Ｃ及びＤの部分が示されている。
【００３０】
当該印刷システム１００は、前記印刷一時停止モジュール１４０のおかげで、前記オペレータが印刷を停止する必要がある場合、ウェブ及びインクの無駄を防止する戦略を前記オペレータが手配するのを助ける。実施例の一モードとして、図２に示すような印刷状態のときに前記オペレータが印刷を停止すると、画像Ｃと画像Ｄの両方が完全に印刷されていないために駄目となり、既に印刷された前記画像ＣとＤの前記部分に対応するウェブやインクが無駄になる。さらに、印刷が復元されると、最初から前記画像Ｃ及びＤを印刷する必要がある。
【００３１】
オペレータは、印刷を停止する代わりに、前記オペレータは、例えば、前記ユーザインタフェース１３０内のプッシュボタン（図示せず）を介して前記印刷一時停止モジュール１４０を選択することができる。このように、前記印刷一時停止モジュール１４０によって複数の印刷一時停止装置が提供され、選択のために前記表示画面１３１に表示される。前記複数の印刷一時停止装置は、前記オペレータが、印刷を停止するための前記オペレータの必要性に依然として適合し得る印刷を停止する、且つ、ウェブおよびインクの無駄を減らすのに役立つ、戦略を決定するのを助け、前記停止印刷プロセスをより費用対効果の高いものにする。印刷一時停止装置の実施例を図３及び図４に示す。
【００３２】
図３は、前記多数の内の１つの第１の印刷一時停止装置３６１を示す。前記第１の印刷一時停止装置３６１は印刷一時停止３６２を含む。前記印刷一時停止３６２は、前記印刷装置２５０における前記印刷一時停止モジュール１４０によって提案された一時停止(pause)である。前記印刷一時停止３６２は、前記バー２１１に対して前記送り方向Ｙの上流側に配置されている。したがって、前記オペレータが前記ユーザインタフェース１３０を介して前記第１の印刷一時停止装置を選択すると、当該印刷システム１００は、印刷が実行されているときに、前記表示画面１３１において前記バー２１１に向かって前記送り方向に移動する前記第１の印刷一時停止３６２が前記バー２１１に到達する瞬間に印刷を停止する。
【００３３】
印刷一時停止モジュール３６２が、印刷一時停止モジュール１４０がプリントヘッド１１０によって第１のウェブで印刷されている画像Ｃに対する給送方向の上流側の印刷構成２５０において提案されていることも重要であるが選択される。前記印刷一時停止モジュール１４０が選択されたとき、前記印刷休止３６２はまた、前記プリントヘッド１１０によって前記第１のウェブにおいて印刷が実行されている前記画像Ｃに対する前記送り方向の上流側の前記印刷装置２５０において提案されることに留意することが重要である。さらに、前記画像Ｃと、前記画像Ｃに対して上流側に、前記第１のウェブ１８１内に配置された前記画像Ｅとの間で前記印刷一時停止３６２が提案される。従って、前記オペレータが前記第１の印刷一時停止装置３６１を選択すると、前記画像Ｃが完全に印刷された後に当該印刷システム１００は印刷するのを停止する。
【００３４】
他方、図４は、印刷一時停止４６２を提案する第２の印刷一時停止装置４６１を示す。前記印刷一時停止３６２とは対照的に、前記印刷一時停止４６２は、前記印刷一時停止モジュール１４０が選択されたときに前記第２のウェブにおいて印刷が実行されている前記バー２１１及び前記画像Ｄの両方に対して、前記送り方向Ｙの上流側の前記印刷装置２５０において提案されている一時停止である。さらに、前記印刷一時停止４６２は、前記第２のウェブにおいて前記画像Ｄと、前記画像Ｄに隣接して配置された前記画像Ｆとの間に配置される。したがって、前記オペレータが前記第２の印刷一時停止装置４６１を選択すると、当該印刷システム１００は、前記第１のウェブ１８１内の前記画像Ｃと前記第２のウェブ内の前記画像Ｄの両方が完全に印刷されると、印刷するのを停止する。
【００３５】
さらに、図４は、前記印刷一時停止モジュール１４０が、前記第２の印刷一時停止装置４６１において、前記印刷一時停止４６２に対して前記送り方向Ｙの上流側に前記画像Ｅが再配置されるように構成されていることを示している。これは、前記第２の印刷一時停止装置が前記オペレータによって選択された場合、前記第２のウェブ１８２において前記画像Ｄの印刷が終了している間に、前記画像Ｃの後の前記第１のウェブでは、前記画像Ｅの印刷は行われないことを意味する。
【００３６】
前記第１の印刷一時停止装置３６１及び前記第２の印刷一時停止装置４６１は、図２に示す印刷の瞬間に前記印刷一時停止モジュール１４０によって提案された前記多数のうちの装置の例である。両者に共通の基準は、前記オペレータにより前記印刷一時停止モジュールが選択された瞬間からの時間の最小限の無駄である。しかしながら、前記印刷一時停止モジュールは、異なる基準に従って印刷一時停止装置を提供するように構成することもできる。実施例の一モードとして、前記基準は次のようになる。：
−同じ顧客に関連する画像を考慮に入れる；
−一時停止せずに急ぎの仕事を考慮に入れる；
−同じ出荷期限を有する印刷ジョブ；
−同じ仕上げステップを有する印刷ジョブ；
−無駄なウェブ（紙）の量など。
【００３７】
いずれにしても、前記多数のうちの前記提案された印刷一時停止装置のいずれかにおける前記印刷一時停止は、前記印刷一時停止モジュールが選択されたときに前記第１のウェブで印刷が実行されている前記プリントヘッド及び前記画像Ｃの両方に対して、前記送り方向の上流側の印刷装置内にあることに留意することが重要である。
【００３８】
前記第１の印刷一時停止装置３６１及び前記第２の印刷一時停止装置４６１が前記表示画面１３１に表示されると、前記オペレータは、印刷を停止するため、それらのうちの１つを選択することができる。これは、前記印刷一時停止モジュール１４０が、前記選択された印刷一時停止装置に従って前記プリントヘッド１１０及び前記送り手段１２０を入力するため、前記ユーザインターフェース１３０と協働するように構成されているために行うことができる。
【００３９】
当該印刷システムの異なる一実施例では、前記印刷システムの１つの選択モジュール（図示せず）は、前記の所定の基準のいずれかに従って、前記多数のうち前記印刷一時停止装置のうちの１つを選択するため、前記印刷一時停止モジュールと協働するように構成することができる。このようにして、前記印刷一時停止装置の選択は、前記オペレータによって行われるのではないが、前記印刷一時停止モジュールが前記オペレータによって選択されると、前記選択モジュールによって行われる。
【００４０】
また、本発明による当該印刷システムは、選択された前記印刷一時停止装置の前記印刷一時停止に対して、印刷が不完全である
前記複数の画像を含むさらなる印刷装置を設定するため、前記印刷一時停止モジュール及び前記ユーザインターフェースと協働するように構成されたメモリモジュールを含むことができる。したがって、当該印刷システムによって印刷が迅速に再開することができる。
【図１Ａ】
0006987789.tif 000002
【図１Ｂ】
0006987789.tif 000003
【図２】
0006987789.tif 000004
【図３】
0006987789.tif 000005
【図４】
0006987789.tif 000006